(57)【要約】【課題】本発明は加湿装置に関するもので、水面に落ちる滴下音を低減し、騒音を更に低くすることができるものである。【解決手段】吸気口２と排気口３を有する本体ケース１内に設けられた加湿手段６と、送風手段４とからなり、加湿手段６は円板状の加湿フィルター部１５と、この加湿フィルター部１５を固定し回転自在に設けられたフィルター枠部１６と、加湿フィルター部１５の下部に設けた略椀状の水槽部１４と、この水槽部１４に一定量の水を供給する給水タンク１９と、フィルター枠部１６を回転させる回転手段１７とから形成され、フィルター枠部１６が停止している際は、常時、加湿フィルター部１５は水に浸されず、フィルター枠部１６が回転している際は、フィルター枠部１６に備えた水位変更手段４０により、加湿フィルター部１５は水に浸されることを特徴とする。【選択図】図４
2014066405.tif 000002
【特許請求の範囲】
【請求項１】
吸気口と排気口を有する本体ケースと、この本体ケース内に設けられた加湿手段と、前記吸気口から前記本体ケース内に吸気した空気を前記加湿手段を順次介して前記排気口へと送風する送風手段とからなり、前記加湿手段は円板状の加湿フィルター部と、この加湿フィルター部を固定し回転自在に設けられたフィルター枠部と、前記加湿フィルター部の下部に設けた略椀状の水槽と、この水槽に一定量の水を供給する給水タンクと、前記フィルター枠部を回転させる回転手段とから形成され、前記フィルター枠部が停止している際は、常時、前記加湿フィルター部は水に浸されず、前記フィルター枠部が回転している際は、前記フィルター枠部に備えた水位変更手段により、前記加湿フィルター部は水に浸される加湿装置。
【請求項２】
水位変更手段は、前記フィルター枠部の周端部から外方へ伸びる棒形状で、前記フィルター枠部が回転する際に水に浸される第１のガイドリブであることを特徴とする請求項１に記載の加湿装置。
【請求項３】
前記第１のガイドリブは回転方向に均一に備え、断面形状は長方形形状であり、前記第１のガイドリブが最も下部にあるとき、前記第１のガイドリブの外周と水槽との隙間が一定であることを特徴とする請求項２に記載の加湿装置。
【請求項４】
水位変更手段は、前記フィルター枠部の側周部から前記フィルター枠部における回転軸方向外方へ伸びる棒形状で、前記フィルター枠部が回転する際に水に浸される第２のガイドリブであることを特徴とする請求項１から３のいずれかに記載の加湿装置。
【請求項５】
水位変更手段は、前記フィルター枠部の側周部から前記フィルター枠部における外方へ伸びる環形状で、前記フィルター枠部が回転する際に水に浸される第３のガイドリブであることを特徴とする請求項１から４のいずれかに記載の加湿装置。
【請求項６】
前記第２のガイドリブは、回転方向において前記第１のガイドリブと同じ位置に備え、断面形状は長方形形状であり、前記第２のガイドリブ外周と水槽の隙間は、前記第１のガイドリブ外周と水槽の最接近している隙間と同じ距離の隙間であることを特徴とする請求項４に記載の加湿装置。
【発明の詳細な説明】
【技術分野】
【０００１】
本発明は、空気を加湿することのできる加湿装置に関する。
【背景技術】
【０００２】
従来のこの種の加湿装置の構成は以下のようになっていた。
【０００３】
すなわち、吸気口と排気口を有する本体ケースと、この本体ケース内に設けられた加湿手段と、前記吸気口から前記本体ケース内に吸気した空気を前記加湿手段を順次介して前記排気口へと送風する送風手段とからなり、前記加湿手段は加湿フィルター部と、前記加湿フィルター部の下部に設けた略椀状の水槽と、この水槽に一定量の水を供給する給水タンクと、
回転するひしゃくとから形成され、このひしゃくによって水をくみ上げ、加湿フィルター部へ滴下させる構成となっていた。（例えば、これに類似する先行文献は下記特許文献１に記載されている。）
【先行技術文献】
【特許文献】
【０００４】
【特許文献１】特開２００５−２８２９８０号公報
【発明の概要】
【発明が解決しようとする課題】
【０００５】
上記従来例における課題は、騒音を更に低くするということであった。
【０００６】
すなわち、従来の物においては、ひしゃくで水をくみ上げ、このくみあげた水を滴下させる時に、水面に落ちると滴下音が発生してしまうものであった。
【０００７】
そこで本発明は、水面に落ちると滴下音を低減し、騒音を更に低くすることを目的とするものである。
【課題を解決するための手段】
【０００８】
そしてこの目的を達成するために本発明は、吸気口と排気口を有する本体ケースと、この本体ケース内に設けられた加湿手段と、前記吸気口から前記本体ケース内に吸気した空気を前記加湿手段を順次介して前記排気口へと送風する送風手段とからなり、前記加湿手段は円板状の加湿フィルター部と、この加湿フィルター部を固定し回転自在に設けられたフィルター枠部と、前記加湿フィルター部の下部に設けた略椀状の水槽と、この水槽に一定量の水を供給する給水タンクと、前記フィルター枠部を回転させる回転手段とから形成され、前記フィルター枠部が停止している際は、常時、前記加湿フィルター部は水に浸されず、前記フィルター枠部が回転している際は、前記フィルター枠部に備えた水位変更手段により、前記加湿フィルター部は水に浸されることを特徴としたものであり、これにより、初期の目的を達成するものである。
【発明の効果】
【０００９】
以上のように本発明は、吸気口と排気口を有する本体ケースと、この本体ケース内に設けられた加湿手段と、前記吸気口から前記本体ケース内に吸気した空気を前記加湿手段を順次介して前記排気口へと送風する送風手段とからなり、前記加湿手段は円板状の加湿フィルター部と、この加湿フィルター部を固定し回転自在に設けられたフィルター枠部と、前記加湿フィルター部の下部に設けた略椀状の水槽と、この水槽に一定量の水を供給する給水タンクと、前記フィルター枠部を回転させる回転手段とから形成され、前記フィルター枠部が停止している際は、常時、前記加湿フィルター部は水に浸されず、前記フィルター枠部が回転している際は、前記フィルター枠部に備えた水位変更手段により、前記加湿フィルター部は水に浸されることを特徴としたものである。
【００１０】
すなわち、フィルター枠部が回転している際は、フィルター枠部に備えた水位変更手段により、加湿フィルター部は水に浸されるので、水をくみ上げずに加湿フィルター部へ水を供給できるので、水面に落ちる滴下音を低減し、騒音を更に低くすることを目的とすることができるものである。
【図面の簡単な説明】
【００１１】
【図１】本発明の実施の形態１の加湿装置の斜視図
【図２】同実施の形態１の加湿装置の概略断面を示す図
【図３】同実施の形態１の加湿手段装着部を示す斜視図
【図４】同実施の形態１の加湿装置のフィルター枠部と加湿フィルター部の斜視図
【発明を実施するための形態】
【００１２】
以下、本実施形態を添付図面を用いて説明する。
【００１３】
（実施の形態１）
図１から図４に示すように、吸気口２と排気口３を有する本体ケース１と、この本体ケース１内に設けられた空気清浄手段と、送風手段４と、加湿手段装着部５と、この加湿手段装着部５に着脱自在な加湿手段６とを備えている。
【００１４】
本体ケース１は、縦長の箱形状で、本体ケース１における前面側の側面下部には、横長四角形状の吸気口２を有し、本体ケース１における天面には、横長四角形状の排気口３を備えている。この吸気口２と排気口３とは、送風手段４によって送風される風路によって連通している。
【００１５】
空気清浄手段は、縦長箱形状の空気清浄フィルター７で、濾材が蛇腹形状に折られたものであり、本体ケース１の吸気口２の風路風下側に設けられている。
【００１６】
送風手段４は、空気清浄フィルター７と排気口３との間の風路に設けている。送風手段４は、スクロール形状のケーシング部８と、このケーシング部８に固定されたモータ部９と、このモータ部９によって回転する羽根部１０とから構成している。ケーシング部８は、天面に横長四角形状の吐出口１１と、本体ケース１における前面側の側面側、つまり空気清浄フィルター７に対向した側面に円形状の吸込口１２を備えている。
【００１７】
加湿手段装着部５は、空気清浄フィルター７と送風手段４との間の風路に設けている。具体的には、空気清浄フィルター７と送風手段４のケーシング部８の吸込口１２を有する側面との間の空間部１３で、この空間部１３は、本体ケース１における一方側の側面から内方に伸びた縦断面形状が縦長四角形状である縦長四角直方体の穴である。この穴である加湿手段装着部５に対して、加湿手段が、水平方向に着脱自在な構成である。
【００１８】
加湿手段６は、水槽部１４と、加湿部である加湿フィルター部１５とフィルター枠部１６と、回転手段１７とから構成されている。水槽部１４に一定量の水が供給され、この水槽部１４の水に、加湿部の一部が浸漬する。
【００１９】
水槽部１４は、上方が開口した横長箱形状で、水平断面形状が長方形である。この水槽部１４には、加湿フィルター部１５と、フィルター枠部１６とが装着される第１の水槽部分１８と、上面が開口した四角形状で、給水タンク１９が装着される第２の水槽部分２０とから形成している。これら第１の水槽部分１８と第２の水槽部分２０とは連通口（図示せず）で連通しており、給水タンク１９より、第２の水槽部分２０に供給された水は、連通口を介して、第１の水槽部分１８に流れこみ、この第１の水槽部分１８に一定量の水が供給されるものである。
【００２０】
第１の水槽部分１８は、本体ケース１における前面側の側面上端部と、本体ケース１における背面側の側面上端部とから伸びた２本の縦長四角平板形状の支持部分２１を備えている。これら支持部分２１の上部には、対向して設けた２つの軸受部分２２を有する。これら軸受部分２２は、それぞれの支持部分２１の内面から内方へ突出しているリブであり、これらのリブを水平視すると、上方が開口したＵ字形状である。
【００２１】
加湿フィルター部１５は、円板形状で、複数の繊維によって形成し、毛細管現象で水を吸い上げる自吸い式タイプである。フィルター枠部１６が停止している際は、加湿フィルター部１５の周縁部の一部が、第１の水槽部分１８の水に浸さないように、フィルター枠部１６によって、第１の水槽部分１８に回転自在に装着されている。
【００２２】
フィルター枠部１６は、加湿フィルター部１５の円形の一方側面側と周縁部とに位置する第１のフィルター枠部２３と、加湿フィルター部１５の円形の他方側面側と周縁部とに位置する第２のフィルター枠部２４とから形成している。
【００２３】
第１のフィルター枠部２３は、加湿フィルター部１５の円形の一方側面側の中心から外方へ伸びた円柱形状の軸部分である第１の軸部分２６と、この第１の軸部分２６から放射線上に伸びた複数の細長四角平板形状の第１の直線状桟部分２７と、これら第１の直線状桟部分２７を連結する複数の半径が異なる円形リング形状の第１の円形リング状桟部分２８と、第１の直線状桟部分２７の先端で連結した円形リング形状の第１の外周円形リング状桟部分４３と、この第１の外周円形リング状桟部分４３の周縁部から伸びた円筒形状の第１の外周筒部分２９とから形成している。
【００２４】
第２のフィルター枠部２４は、加湿フィルター部１５の円形の他方側面側の中心から外方へ伸びた円柱形状の軸部分である第２の軸部分３１と、この第２の軸部分３１から放射線上に伸びた複数の細長四角平板形状の第２の直線状長桟部分３２と、これら第２の直線状長桟部分３２を連結する円形リング形状の第２の円形リング状桟部分３４と、この第２の円形リング状桟部分３４から外方へ伸びる複数の細長四角平板形状の第２の直線状短桟部分３６と、この第２の直線状短桟部分３６の先端で連結した円形リング形状の第２の外周円形リング状桟部分４４と、この第２の外周円形リング状桟部分４４の周縁部から伸びた円筒形状の第２の外周筒部分３５とから形成している。第１の外周筒部分２９の内径は、第２の外周筒部分３５の内径より小さく、第２の外周筒部分３５の内面に、第１の外周筒部分２９の外面が嵌るものである。
【００２５】
ここで、フィルター枠部１６を、フィルター枠部１６の軸部分である第１の軸部分２６と、第２の軸部分３１とを、第１の水槽部分１８の軸受部分２２の上方から挿入し所定距離下げることにより回転自在に支持される。つまり、Ｕ字形状のリブの内径は、フィルター枠部１６の軸部分の外径より大きいので、軸受部分２２であるＵ字形状のリブの上方開口から、軸部分である第１の軸部分２６と第２の軸部分３１とを挿入し、Ｕ字形状のリブに沿って所定距離下げると、軸受部分２２であるＵ字形状のリブの底である円弧部分と、第１の軸部分２６と第２の軸部分３１の外周の一部が当たり、回転自在に支持される。
【００２６】
回転手段１７は、本体ケース１の設けられた電動機３７と、この電動機３７によって回転する歯車である第１のギア３８と、第２のフィルター枠部２４の第２の円形リング状桟部分３４に設けた歯車である第２のギア３９とから形成している。
【００２７】
以上の構成における加湿動作について説明する。送風手段４によって、本体ケース１の吸気口２から吸い込まれた室内の空気は、空気清浄フィルター７を介し、加湿手段６の加湿フィルター部１５へ送風される。ここで、送風された空気が、水を含んだ加湿フィルター部１５を通過することで、加湿され、この加湿された空気が、本体ケース１の排気口３から室内へ送風され、室内を加湿するものである。
【００２８】
本実施形態において特徴は、フィルター枠部１６が停止している際は、常時、加湿フィルター部１５は水に浸されず、フィルター枠部１６が回転している際は、フィルター枠部１６に備えた水位変更手段４０により、加湿フィルター部１５は水に浸される点である。
【００２９】
すなわち、フィルター枠部１６が回転している際は、フィルター枠部１６に備えた水位変更手段４０により、加湿フィルター部１５は水に浸されるので、水をくみ上げずに加湿フィルター部１５へ水を供給できるので、水面に落ちる滴下音を低減し、騒音を更に低くすることを目的とすることができるものである。
【００３０】
また、具体的には、水位変更手段４０は、第２のフィルター枠部２４の周端部から外方へ伸びる板形状で、第２のフィルター枠部２４が回転する際に水に浸される第１のガイドリブ４１である。
【００３１】
また、第１のガイドリブ４１は回転方向にほぼ均一に備え、断面形状は長方形形状であり、第１のガイドリブ４１が最も下部にあるとき、第１のガイドリブ４１の外周と水槽部１４との隙間が一定である。
【００３２】
これにより、通常は、水槽部１４内の水面は、第２のフィルター枠部２４の第２の外周筒部分３５より下方に位置するが、第１のガイドリブ４１が水槽部１４内で回転した際、第１のガイドリブ４１が水を押出し、一時的に水位を上げると、フィルター枠部１６内に水が浸入し、加湿フィルター部１５を浸らせることができる。具体的には、フィルター枠部１６の第１の外周円形リング状桟部分４３、および第２の外周円形リング状桟部分４４を乗り越え、フィルター枠部１６に水が浸入し、一時的にフィルター枠部１６内に水が溜まり、この溜まった水を加湿フィルター部１５が吸い上げるものである。
【００３３】
また、水位変更手段４０は、フィルター枠部１６の側周部からフィルター枠部１６における回転軸方向外方へ伸びる棒形状で、フィルター枠部１６が回転する際に水に浸される第２のガイドリブ４２である。この第２のガイドリブ４２によって、水が押出され、一時的に水位を上げることが出来る。
【００３４】
また、水位変更手段４０は、フィルター枠部１６の側周部から外方へ伸びる環形状で、フィルター枠部１６が回転する際に水に浸される複数の第３のガイドリブ４５である。これらの第３のガイドリブ４５は、第１のガイドリブ４１を連結するものと、第２のガイドリブ４２を連結するものとである。
【００３５】
具体的には、第３のガイドリブ４５は、第２の外周円形リング状桟部分４４が外方へ伸びた部分であり、第１の外周円形リング状桟部分４３が外方へ伸びた部分である。つまり、第３のガイドリブ４５は、第２の外周筒部分３５より外方へ突出した２つの平板環形状である。
【００３６】
２つの第３のガイドリブ４５が無い場合には、フィルター枠部１６が回転すると、第１のガイドリブ４１が水を押出す場合に、この押出された水の一部は、第１のガイドリブ４１に沿って、フィルター枠部１６の軸方向へ移動し、フィルター枠部１６と水槽部１４との間へ流れ込んでしまい、フィルター枠部１６の回転方向へ押し出される水量が減少する。ここで、上記構成のように、２つの第３のガイドリブ４５を設けた状態で、フィルター枠部１６が回転すると、第１のガイドリブ４１と２つの第３のガイドリブ４５とによって囲まれた状態で水を押出すので、フィルター枠部１６の回転方向へ押し出される水量の減少を抑制できる。
【００３７】
また、回転方向において第１のガイドリブ４１と同じ位置に備え、断面形状は長方形形状であり、第２のガイドリブ４２外周と水槽部１４の隙間は、第１のガイドリブ４１外周と水槽部１４の最接近している隙間と同じ距離の隙間である。
【００３８】
これにより、第２のガイドリブ４２が水槽部１４内で回転した際、第２のガイドリブ４２が水を押出し、一時的に水位を上げ、加湿フィルター部１５を浸らせることができる。
【産業上の利用可能性】
【００３９】
以上のように本発明は、吸気口と排気口を有する本体ケースと、この本体ケース内に設けられた加湿手段と、前記吸気口から前記本体ケース内に吸気した空気を前記加湿手段を順次介して前記排気口へと送風する送風手段とからなり、前記加湿手段は円板状の加湿フィルター部と、この加湿フィルター部を固定し回転自在に設けられたフィルター枠部と、前記加湿フィルター部の下部に設けた略椀状の水槽と、この水槽に一定量の水を供給する給水タンクと、前記フィルター枠部を回転させる回転手段とから形成され、前記フィルター枠部が停止している際は、常時、前記加湿フィルター部は水に浸されず、前記フィルター枠部が回転している際は、前記フィルター枠部に備えた水位変更手段により、前記加湿フィルター部は水に浸されることを特徴としたものである。
【００４０】
すなわち、フィルター枠部が回転している際は、フィルター枠部に備えた水位変更手段により、加湿フィルター部は水に浸されるので、水をくみ上げずに加湿フィルター部へ水を供給できるので、水面に落ちる滴下音を低減し、騒音を更に低くすることを目的とすることができるものである。
【００４１】
従って、家庭用や事務所用などの、加湿装置として活用が期待されるものである。
【符号の説明】
【００４２】
１  本体ケース
２  吸気口
３  排気口
４  送風手段
５  加湿手段装着部
６  加湿手段
７  空気清浄フィルター
８  ケーシング部
９  モータ部
１０  羽根部
１１  吐出口
１２  吸込口
１３  空間部
１４  水槽部
１５  加湿フィルター部
１６  フィルター枠部
１７  回転手段
１８  第１の水槽部分
１９  給水タンク
２０  第２の水槽部分
２１  支持部分
２２  軸受部分
２３  第１のフィルター枠部
２４  第２のフィルター枠部
２６  第１の軸部分
２７  第１の直線状桟部分
２８  第１の円形リング状桟部分
２９  第１の外周筒部分
３１  第２の軸部分
３２  第２の直線状長桟部分
３４  第２の円形リング状桟部分
３５  第２の外周筒部分
３６  第２の直線状短桟部分
３７  電動機
３８  第１のギア
３９  第２のギア
４０  水位変更手段
４１  第１のガイドリブ
４２  第２のガイドリブ
４３  第１の外周円形リング状桟部分
４４  第２の外周円形リング状桟部分
４５  第３のガイドリブ
【図１】
2014066405.tif 000003
【図２】
2014066405.tif 000004
【図３】
2014066405.tif 000005
【図４】
2014066405.tif 000006